(57)【特許請求の範囲】
【請求項１】
液体化粧料を貯留する塗布容器本体と、保持軸先端に塗布部を保持するキャップとから構成され、
該キャップには、先端一部が開口する中空の保持軸を固持するとともに、該保持軸内に挿通させる進退軸を該保持軸軸線方向に対して進退自在にさせてなる進退機構を内装し、  該保持軸には、先端一部の開口部に対応するように塗布部を内装し、
該塗布部は、一方に対して他方がスライド自在となる二つの塗布部分割体を一体として形成してなるものであって、
該塗布部を形成する二つの塗布部分割体のうち、一方の塗布部分割体と進退機構の進退軸とを連結するとともに、他方の塗布部分割体は保持軸先端内に固定した上で、
上記一体となって塗布部を形成する二つの塗布部分割体において、
一方の塗布部分割体と他方の塗布部分割体との間に複数の線条体を掛け渡して内部に空間を有するように複数の櫛歯を形成してなる
ことを特徴とする液体化粧料塗布容器。
【発明の詳細な説明】
【技術分野】
【０００１】
本願発明は、マスカラ等の液体化粧料を塗布する液体化粧料塗布体を一体に具える液体化粧料塗布容器に関する。
【背景技術】
【０００２】
例えば、マスカラの液体化粧料塗布容器にはマスカラを塗布する液体化粧料塗布体が具えられている。そして、該液体化粧料塗布体は、プラスチック製の芯と該芯から放射状に伸びている毛からなるブラシとから構成されるものや、支持部材の上面に透孔を有する複数の櫛歯を立設してなるものがあり、これらは一体に成形されてなるものが一般的である（特許文献１、２参照）。
【０００３】
しかしながら、上記液体化粧料塗布体は一体に成形されるものであるので、ブラシをなす毛又は櫛歯の方向やピッチを変えることはできず、使用者がブラシに含浸される液体化粧料の塗布方向や液体化粧料の量を適宜調整する必要がある。
【０００４】
すなわち、睫毛の生える方向は様々であるので、睫毛に対して均一にマスカラを塗布しようとする場合には、ブラシをなす毛又は櫛歯を睫毛の生える方向に沿うように液体化粧料塗布体を持ち替えたり、動かす方向を適宜調整する必要がある。
また、睫毛に対してマスカラを塗布する場合において、マスカラを厚く塗布する場合に最適なブラシをなす毛又は櫛歯のピッチであっても、マスカラを薄く塗布する場合にはブラシをなす毛又は櫛歯を扱いて含浸するマスカラの量を調整しなければならない。また逆に、マスカラを薄く塗布する場合に最適なブラシをなす毛又は櫛歯のピッチであっても、マスカラを厚く塗布する場合には必要となる厚さまで反復してマスカラを塗布しなければならない。
【先行技術文献】
【特許文献】
【０００５】
【特許文献１】特開２００８−１８２４５
【特許文献２】特開２０１０−９４１８６
【発明の概要】
【発明が解決しようとする課題】
【０００６】
発明が解決しようとする課題は、マスカラを最適な厚さに又は均一に塗布するために、塗布体による反復した塗布、また睫毛の生える方向に沿うように液体化粧料塗布体を持ち替えたり、液体化粧料塗布体を扱いて含浸するマスカラの量を調整することが必要となる点である。
【課題を解決するための手段】
【０００７】
第１の特徴として、
液体化粧料を貯留する塗布容器本体と、保持軸先端に塗布部を保持するキャップとから構成され、
該キャップには、先端一部が開口する中空の保持軸を固持するとともに、該保持軸内に挿通させる進退軸を該保持軸軸線方向に対して進退自在にさせてなる進退機構を内装し、  該保持軸には、先端一部の開口部に対応するように塗布部を内装し、
該塗布部は、一方に対して他方がスライド自在となる二つの塗布部分割体を一体として形成してなるものであって、
該塗布部を形成する二つの塗布部分割体のうち、一方の塗布部分割体と進退機構の進退軸とを連結するとともに、他方の塗布部分割体は保持軸先端内に固定した上で、
上記一体となって塗布部を形成する二つの塗布部分割体において、
一方の塗布部分割体と他方の塗布部分割体との間に複数の線条体を掛け渡して内部に空間を有するように複数の櫛歯を形成してなるものである。
【０００８】
そのため、進退機構を操作することで、該進退機構の進退軸は保持軸軸線方向に前進又は後退するものである。そこで、当初二つの塗布分割体が保持軸の軸線を軸として対称的（以下、「対称的」という。）に位置することによって塗布部を形成している場合、塗布部を形成している二つの塗布分割体のうち、該進退機構の進退軸と連結する一方の塗布部分割体は他方の塗布部分割体に対して保持軸軸線方向に前進又は後退する。その結果、塗布部を構成する一方の塗布部分割体を他方の塗布部分割体に対して互いにずれるように位置させることができる。さらに、進退機構を逆操作すると、他方の塗布部分割体に対してずれるように位置している一方の塗布部分割体は、進退機構の進退軸の後退又は前進により再び対称的に位置させるようにできるものである。
【０００９】
さらに、進退機構を操作することによって、塗布部を形成する二つの塗布部分割体のうち、一方の塗布部分割体は他方の塗布部分割体に対して前進又は後退し、一方の塗布部分割体は他方の塗布部分割体に対してずれるように位置させたり、又は対称的に位置させるものである。その結果、一方の塗布部分割体と他方の塗布部分割体との間に線条体を掛け渡して形成される櫛歯は、保持軸軸線に対して斜行するように配置させたり、又は直交するように配置させることができるものである。
【発明の効果】
【００１０】
本願発明は、塗布部を構成する二つの塗布部分割体のうち、一方の塗布部分割体を、他方の塗布部分割体に対して対称的に、又はずれるように位置させることで、該塗布部を形成する二つの塗布部分割体に形成される櫛歯の方向が可変するので、あらゆる方向に生えている睫毛に対して簡易且つ正確にマスカラを必要な厚さで、しかも均一に塗布することができる優れた効果を有するものである。
【図面の簡単な説明】
【００１１】
【図１】図１は、本願発明の実施例１である液体化粧料塗布容器の縦断面図である。
【図２】図２は、本願発明の実施例１である液体化粧料塗布容器を構成するキャップの縦断面図である。
【図３】図３は、本願発明の実施例１である液体化粧料塗布容器を構成するキャップの要部拡大横断面図である。
【図４】図４は、本願発明の実施例１である液体化粧料塗布容器を構成するキャップに保持される保持軸先端におけるＡ−Ａ断面図である。
【図５】図５（イ）は、本願発明の実施例１である液体化粧料塗布容器の進退機構のスライドスイッチが中立位置であるときのキャップの正面図及び縦断面図、同図（ロ）は、本願発明の実施例１である液体化粧料塗布容器の進退機構のスライドスイッチが前進位置であるときのキャップの正面図及び縦断面図、及び同図（ハ）は、本願発明の実施例１である液体化粧料塗布容器の進退機構のスライドスイッチが後退位置であるときのキャップの正面図及び縦断面図である。
【発明を実施するための形態】
【００１２】
多様な方向に生える睫毛に対して、簡易、且つ正確にマスカラを希望とする厚さで、しかも均一に塗布することができるように、櫛歯を形成する塗布部を二つの塗布部分割体によって構成するとともに、一方の塗布部分割体を他方の塗布部分割体に対して前進又は後退させることで、該塗布部に形成される櫛歯の方向を変化させて実現した。
【実施例１】
【００１３】
図１において示すのは、本願発明の実施例１である液体化粧料塗布容器１である。該液体化粧料塗布容器１は、その内部でマスカラ３を貯留するとともに、その開口部４では、後述するキャップ７に保持される保持軸９及び該保持軸９先端の塗布部１２に密着してそれらの表面に過剰に付着したマスカラ３を拭去するシゴキ５を内装し、その外周面に雄ネジ部６を螺設する塗布容器本体２と、その開口部７ａの内周面に前記雄ネジ部６と螺合する雌ネジ部８を螺設するものであって、先端側面が開口する中空の保持軸９を保持するとともに、該保持軸９内において該保持軸９軸線方向に進退軸１１を進退自在に挿通させてなる進退機構１０を内装するキャップ７とから構成されるものである。
【００１４】
さらに、該保持軸９先端内においては、該保持軸９先端の開口に対応するものであって、他方に対して一方が前進又は後退する二つの塗布部分割体１２ａ、１２ｂから構成される塗布部１２が内装されている。
【００１５】
そして、該塗布部１２を構成する二つの塗布部分割体１２ａ、１２ｂにおいて、一方の塗布部分割体１２ａと他方の塗布部分割体１２ｂとの間に複数の線条体１３ａを掛け渡して内部に空間を有するように複数の櫛歯１３を形成してなるものである（図４参照）。
【００１６】
その上、該塗布部１２を構成する塗布部分割体１２ａ、１２ｂのうち、一方の塗布部分割体１２ａと進退機構１０の進退軸１１とを一体に連結するとともに、他方の塗布部分割体１２ｂを保持軸９先端内に固持してなるものである（図３参照）。
【００１７】
ここで、本願発明の実施例１である液体化粧料塗布容器１を構成するキャップ７内に内装される進退機構１０は図２に示すようになっているものである。
すなわち、キャップ７の側面において保持軸９軸線前後方向に摺動するスライドスイッチ１０ａが配置されているものである。そして、キャップ７内には保持軸９の根元部９ａが固持されるとともに、該保持軸９内を挿通する進退軸１１の根元部１１ａが前記保持軸９の根元部９ａ内にパッキン１０ｂを介して保持軸９軸線前後方向へ進退可能に保持されている。その上で、キャップ７のスライドスイッチ１０ａと進退軸１１の根元部１１ａとがキャップ７及び保持軸９を貫通する貫通孔１０ｃを通じて一体に固定されているものである。その結果、スライドスイッチ１０ａの摺動に併せて保持軸９内を挿通する進退軸１１が前進又は後退するものである。従って、該進退軸１１と一体に連結される塗布部１２を構成する一方の塗布部分割体１２ａが他方の塗布部分割体１２ｂに対して前進又は後退し、両塗布部分割体１２ａ、１２ｂは保持軸９軸線を軸として対称的（以下、「対称的」という）に位置させたり、又が互いにずれるように位置させるものである。
【００１８】
なお、保持軸９先端においては一方の側面は開口して塗布部１２が形成されているものであるが、その背面には鋸歯部９ｃが形成されているものである。そのため、該鋸歯部９ｃを使用することで睫毛に対してより薄くマスカラ３を塗布することができるものである。
【００１９】
本願発明の実施例１である液体化粧料塗布容器１は以上のように構成されるのでマスカラ３を塗布するにあたっては次のようにするものである。
まず上記塗布部１２においては、二つの塗布分割体１２ａ、１２ｂは対称的に位置しているので、該二つの塗布部分割体１２ａ、１２ｂ間に複数の線条体１３ａを掛け渡して内部に空間を有するように形成される複数の櫛歯１３は、保持軸９軸線に対して直交する様に配置されているものである。その結果、目に対して直線方向へ生えている睫毛に対しては、該睫毛に沿って直線的に塗布部１２を動かすことによりマスカラ３を均一に塗布することができるものである〔図５（イ）参照〕。
【００２０】
しかしながら、目に対して斜方方向へ生えている睫毛に対しては、キャップ７のスライドスイッチ１０ａを前進又は後退させることにより、進退機構１０の進退軸１１に対して一体に連結する一方の塗布部分割体１２ａは前進又は後退して、該二つの塗布部分割体１２ａ、１２ｂは互いにずれるように位置するものである。その結果、塗布部１２を構成する二つの塗布部分割体１２ａ、１２ｂ間に形成される櫛歯１３は保持軸９軸線先端方向に対して右下がり又は右上がり方向へ配置されるものとなるので、塗布部１２を直線的に動かすことにより櫛歯１３は目に対して斜方方向に生えている睫毛に沿って動くことから、マスカラ３を均一に塗布することができるものとなる〔図５（ロ）（ハ）参照〕。
【産業上の利用可能性】
【００２１】
本願発明の液体化粧料塗布容器は、塗布部を形成する櫛歯の方向を可変させることができるので、化粧料のみならず染毛剤等を塗布することができる櫛歯を有する塗布容器に適用することができる。
【符号の説明】
【００２２】
１    液体化粧料塗布容器
２    塗布容器本体
３    マスカラ
４    開口部
５    シゴキ
６    雄ネジ部
７    キャップ
７ａ    開口部
８    雌ネジ部
９    保持軸
９ａ    根元部
９ｂ    雌ネジ部
９ｃ    鋸歯部
１０    進退機構
１０ａ    スライドスイッチ
１０ｂ    パッキン
１０ｃ    貫通孔
１１    進退軸
１１ａ    根元部
１１ｂ    後端部
１２    塗布部
１２ａ    （一方の）塗布部分割体
１２ｂ    （他方の）塗布部分割体
１３    櫛歯
１３ａ    線条体
【図１】
0005780480.tif 000002
【図２】
0005780480.tif 000003
【図３】
0005780480.tif 000004
【図４】
0005780480.tif 000005
【図５】
0005780480.tif 000006